(57)【要約】【課題】増水時に自動的に取水口を塞ぎ、水路内への土砂、石の流入を阻止する一方で、取水を継続して行うことができる水路土砂流入防止装置を提供する。【解決手段】用水路１００の取水口１０１を塞ぐことができる板状のゲート１０と、前記ゲート１０の側面と用水路上方部とを連結する回動自在な左右一対の連結棒４１と、上端が前記ゲート１０の前側側面に回動自在に連結され、下端を用水路上面１０５に載置する左右一対のつっかえ棒２１と、前記左右一対のつっかえ棒下方部に架け渡すように取付けられた衝突板５１と、を有し、前記ゲート１０には、用水路１００内への土砂、石の流入を阻止しつつ水を取水可能な貫通孔１１が設けられ、増水時、水流により前記衝突板５１が押されることで前記つっかえ棒２１及び連結棒４１により用水路１００の上方に支持されている前記ゲート１０が転倒し、取水口１０１を塞ぐ。【選択図】図１
2012246610.tif 000002
【特許請求の範囲】
【請求項１】
水路の取水口を完全に塞ぐことができる大きさからなる板状のゲートと、
前記ゲートの側面と水路上方部とを連結する回動自在な左右一対の連結棒と、
上端が前記ゲートの前側側面に回動自在に連結され、下端を水路上面に載置し、前記連結棒と協働し前記ゲートを水路の上方に支持する左右一対のつっかえ棒と、
前記左右一対のつっかえ棒下方部に架け渡すように取付けられ、増水時に水が衝突する衝突板とを有し、
前記ゲートには、取水口を塞いだ状態で、水路内への土砂、石の流入を阻止しつつ水を取水可能な貫通孔が設けられ、
増水時、水流により前記衝突板が押されることで前記つっかえ棒の下端が水路から外れ、前記つっかえ棒及び連結棒により水路の上方に支持されている前記ゲートが転倒し、取水口を塞ぐことを特徴とする水路土砂流入防止装置。
【請求項２】
前記衝突板が風を受けたとき前記つっかえ棒が転倒しないように、前記衝突板は、網状部材又は複数のスリットを有する部材で形成されていることを特徴とする請求項１に記載の水路土砂流入防止装置。
【請求項３】
前記貫通孔は、前記ゲートの中央部に設けられていることを特徴とする請求項１又は２に記載の水路土砂流入防止装置。
【請求項４】
水路の取水口には、塵芥の流入を阻止するスクリーンが設置され、増水時、前記ゲートは、前記スクリーン上にスクリーンを覆うように転倒することを特徴とする請求項１から３のいずれか１に記載の水路土砂流入防止装置。
【請求項５】
前記ゲートは、取水口よりも下流の水路を覆う蓋上に倒伏可能なことを特徴とする請求項１から４のいずれか１に記載の水路土砂流入防止装置。
【発明の詳細な説明】
【技術分野】
【０００１】
本発明は、洪水などで増水したとき水路内に土砂、石が流入することを防止する一方で、取水を継続して行うことができる、取水口に設置し使用する水路土砂流入防止装置に関する。
【背景技術】
【０００２】
灌漑用水路など河川から河川水を取水する設備では、呑み口（取水口）にスクリーン等が設置され、灌漑用水路内に塵芥等が流入しないように対策されているが、洪水時には呑み口から土砂や石等が流入してしまう。呑み口（取水口）に設置するスクリーンの目の大きさを小さくすれば、洪水時であっても石等の流入を防止することができるが、落ち葉などでスクリーンが塞がれると、取水量が低下するためスクリーンの目の大きさを極端に小さくすることはできない。灌漑用水路内に流入、堆積した土砂を搬出する作業には、多大の労力と費用が必要であり、洪水時などであっても灌漑用水路内に土砂、石などが流入することを防止できる技術が求められている。
【０００３】
上記のような洪水時に水路内に土砂が流入する問題を解決するために、洪水などで水位が上昇すると、取水口をシャッターで自動的に閉止し、水路内に土砂が流入することを防止する技術がいくつか提案されている。例えば、増水時の水の流れを利用して自動的にシャッターで取水口を閉止する土砂流入防止装置がある（例えば特許文献１参照）。この装置は、一端部に増水した水を検知するプレート、他端部にシャッターと係合する車輪が取付けられたシャフトを備え、通常水位時は、車輪とシャッターとが係合しシャッターが吊上げられ、増水時にプレートが水で押されるとシャフトが回動し、車輪とシャッターとの係合が外れ、シャッターが自重で落下し取水口を閉止する。
【０００４】
また水位を利用して取水口を扉体で自動的に閉止させる止水ゲートもある（例えば特許文献２参照）。この止水ゲートは、水路を横断する回転軸を有し、この回転軸にこれを支点とするアームが取付けられ、アームの一方にカウンタウエイト、他方に水路を開閉する扉体が設けられ、水位が所定の水位以上に達すると扉体が水圧により回動し取水口を塞ぎ、水位が所定の水位まで低下するとカウンタウエイトの重量により扉体が上方に回動し取水口を開く、水位により自動的に取水口を開閉する装置である。
【先行技術文献】
【特許文献】
【０００５】
【特許文献１】特公平７−３０５４３号公報
【特許文献２】特開２００７−３１４９６４号公報
【発明の概要】
【発明が解決しようとする課題】
【０００６】
前記特許文献１及び特許文献２に記載の装置は、洪水などで増水したときには、シャッター又は扉で取水口を完全に閉止するため、水路内への土砂、石等の流入を防ぐことはできるが、同時に取水も止まってしまう。灌漑用水路の中には、洪水時であっても取水を継続して行うことが求められているものもあるが、これまで、洪水時、増水時に水路内への土砂、石の流入を阻止し、かつ取水を継続して行うことができる装置は、開発されていない。
【０００７】
本発明の目的は、増水時に自動的に取水口を塞ぎ、水路内への土砂、石の流入を阻止する一方で、取水を継続して行うことができる水路土砂流入防止装置を提供することである。
【課題を解決するための手段】
【０００８】
本発明は、水路の取水口を完全に塞ぐことができる大きさからなる板状のゲートと、前記ゲートの側面と水路上方部とを連結する回動自在な左右一対の連結棒と、上端が前記ゲートの前側側面に回動自在に連結され、下端を水路上面に載置し、前記連結棒と協働し前記ゲートを水路の上方に支持する左右一対のつっかえ棒と、前記左右一対のつっかえ棒下方部に架け渡すように取付けられ、増水時に水が衝突する衝突板とを有し、前記ゲートには、取水口を塞いだ状態で、水路内への土砂、石の流入を阻止しつつ水を取水可能な貫通孔が設けられ、増水時、水流により前記衝突板が押されることで前記つっかえ棒の下端が水路から外れ、前記つっかえ棒及び連結棒により水路の上方に支持されている前記ゲートが転倒し、取水口を塞ぐことを特徴とする水路土砂流入防止装置である。
【０００９】
また本発明は、前記水路土砂流入防止装置において、前記衝突板が風を受けたとき前記つっかえ棒が転倒しないように、前記衝突板は、網状部材又は複数のスリットを有する部材で形成されていることを特徴とする。
【００１０】
また本発明は、前記水路土砂流入防止装置において、前記貫通孔は、前記ゲートの中央部に設けられていることを特徴とする。
【００１１】
また本発明は、前記水路土砂流入防止装置において、水路の取水口には、塵芥の流入を阻止するスクリーンが設置され、増水時、前記ゲートは、前記スクリーン上にスクリーンを覆うように転倒することを特徴とする。
【００１２】
また本発明は、前記水路土砂流入防止装置において、前記ゲートは、取水口よりも下流の水路を覆う蓋上に倒伏可能なことを特徴とする。
【発明の効果】
【００１３】
本発明の水路土砂流入防止装置は、増水時、水流を利用して水路の上方に支持されているゲートを転倒させ取水口を塞ぐので、洪水時など増水時には自動的に取水口が塞がれ、水路内に土砂、石等が流入することを防止することができる。このときゲートには、水を取水可能な貫通孔が設けられているので、取水口をゲートで完全に塞いでも取水を継続させることができ、送水を継続する必要がある灌漑用水路等に好適に使用することができる。
【００１４】
また本発明によれば、衝突板は、網状部材又は複数のスリットを有する部材で形成されているので、風が吹いてもつっかえ棒さらにはゲートが転倒し取水口を塞ぐことはない。このため多くの取水口に幅広く使用することができる。
【００１５】
また本発明によれば、ゲートの貫通孔は、ゲートの中央部に設けられているので、ゲートの前で沈降する土砂、石は水路内に流入することができない。一方、増水時には、水路の上方まで水位が上昇しているので、比較的大きなヘッド差を得ることができる。このため小さな貫通孔であっても取水を継続することができる。このようにゲートに設ける貫通孔の位置を中央部とすることで、水路内への土砂、石の流入をより確実に阻止し、かつ取水を継続させることができる。
【００１６】
また本発明によれば、水路の取水口に塵芥の流入を阻止するスクリーンが設置されている場合、ゲートは、スクリーン上にスクリーンを覆うように転倒するので、スクリーンが設置されている水路にも使用することができる。
【００１７】
また本発明によれば、前記ゲートを、取水口よりも下流の水路を覆う蓋上に倒伏させることができるので、冬期など洪水の発生がないと予測される場合には、予めゲートを取水口とは反対側に倒しておくことで、増水時ではないときに誤って取水口を塞ぐことを防止することができる。
【図面の簡単な説明】
【００１８】
【図１】本発明の実施の一形態としての水路土砂流入防止装置１の概略的構成を示す斜視図である。
【図２】図１の水路土砂流入防止装置１が取水口を覆った状態を示す斜視図である。
【図３】図１の水路土砂流入防止装置１の動きを説明するための模式図である。
【図４】図１の水路土砂流入防止装置１の持ち上がりを防止する係止具６０の構成図である。
【図５】図１の水路土砂流入防止装置１のゲートの変形例を示す部分断面図である。
【発明を実施するための形態】
【００１９】
図１は、本発明の実施の一形態としての水路土砂流入防止装置１の概略的構成を示す斜視図であり、図２は、水路土砂流入防止装置１が取水口を覆った状態を示す斜視図である。図３は、水路土砂流入防止装置１の動きを説明するための模式図である。以下、用水路１００の取水口１０１に取付ける場合を例として、水路土砂流入防止装置１の構成、動作を説明する。
【００２０】
水路土砂流入防止装置１は、用水路１００の取水口１０１に設置され、洪水時など増水時に自動的に取水口１０１を塞ぎ、用水路１００内に土砂、石などが流入することを阻止すると共に、水は、引き続き用水路１００に供給するための装置であり、増水時に転倒し用水路の取水口１０１を塞ぐゲート１０、ゲート１０を支持するつっかえ棒２１、３１及び連結棒４１、増水時に水流を受けゲート１０を支持するつっかえ棒２１を転倒させる衝突板５１を備える。
【００２１】
用水路１００は、断面がコ字状のコンクリート製の水路であり、取水口１０１には、用水路１００内に塵芥が流入することを防止するスクリーン１２０が設置されている。用水路１００は、両側面１０２及び底面１０３がコンクリートで覆われ、上面は取水口１０１を除き金属製の蓋１０４で覆われている。スクリーン１２０は、複数のスクリーンバー１２１と、スクリーンバー１２１を支持する支持棒１２２からなり、支持棒１２２が、用水路１００の側壁上面１０５に固定され、スクリーンバー１２１は、水の流れに対して上方を下流側に傾斜した状態で取水口１０１に取り付けられている。
【００２２】
ゲート１０は、取水口１０１に傾斜して設置されたスクリーン１２０に覆い被さり、取水口１０１を塞ぐことが可能な大きさの矩形の板状体であり、横幅が用水路１００の幅と略同一であり、長さがスクリーン１２０のスクリーンバー１２１よりも僅かに長い。ゲート１０には、中央部に複数の貫通孔１１が設けられている。
【００２３】
貫通孔１１は、ゲート１０が増水時に転倒し、スクリーン１２０に覆い被さり取水口１０１を塞いだ状態であっても、完全に水を遮断するのではなく、引き続き用水路１００内に水を供給するために設けられたものであり、水は、通過可能であるが、土砂、石は通過することができない大きさである。ここで土砂、石は通過することができない大きさとは、非常に小さな土、砂までも完全に阻止できる大きさではない。増水時に取水口１０１に、水と一緒に押し寄せる土砂、石等には種々の大きさのものがあり、非常に小さな土、砂までも完全に阻止するためには、貫通孔１１の直径を非常に小さくする必要がある。非常に小さな貫通孔１１は、用水路１００内に土砂、石が流入することを阻止する点では好ましいが、一方で、取水量が極端に低下する。よって、増水時に取水口１０１に水と一緒に押し寄せる土砂、石等の大きさ、量、さらには取水量を勘案して貫通孔１１の大きさを決めることが好ましい。
【００２４】
貫通孔１１は、ゲート１０の中央部１３に複数列設けられ、転倒時に下部１４及び上部１５になる部分には設けられていない。増水時に取水口１０１に水と一緒に押し寄せる土砂、石等は、ゲート１０で堰き止められるため勢いが低下し、ゲート１０の前に沈降する。ゲート１０の下部１４に貫通孔１１を設けると、沈降した土砂、石等が水に同伴して貫通孔１１を通過する恐れがあるため好ましくない。ゲート１０の中央部１３に貫通孔１１を設ければ、沈降した土砂、石等を同伴することなく水のみを取水することができる。また、増水時には、転倒したゲート１０の上端１６を越える水位となる。貫通孔１１を通じて用水路１００に流れ込む水は、貫通孔１１から水面８０までの高さを推進力とするため、取水量を多くするためには、貫通孔１１は上部１５よりも中央部に設けることが好ましい。貫通孔１１の大きさ（直径）は、全て同じ大きさであってもよいが、大きい砂、石は、上方に行き難いので、上方の貫通孔１１を相対的に大きくしてもよい。
【００２５】
ゲート１０は、増水時に土砂、石が衝突し、さらには水圧を受けても変形しない強度を有し、安価で加工し易いものであれば材質は特に問われない。鋼板又は繊維強化プラスチック材を使用し、これに貫通孔１１を設けることで簡単に製作することができる。さらには金網、打ち抜き金網、パンチングメタルを用い、必要に応じて補強し、上下に鋼板を取り付け製作してもよい。
【００２６】
またゲート１０には、先端部１９に錘５５が取付けられている。この錘５５は、つっかえ棒２１が転倒したとき、ゲート１０が、確実に、先端部１９を下にして転倒するようにゲート１０の重心を連結棒４１よりも前側にするための部材である。よって、錘５５を設けなくてもゲート１０の重心が連結棒４１よりも前側にあれば、必ずしも錘５５を取付ける必要はない。
【００２７】
つっかえ棒２１、３１は、用水路１００の上方にゲート１０を水平に支持すると共に、増水時に倒れ、ゲート１０をスクリーン１２０上に転倒させる役目を有する。つっかえ棒２１は、ゲート１０の両前側側面１７にそれぞれ一本、ゲート１０の両後側側面１８にそれぞれ一本、計４本取付けられている。ゲート１０の前側は、ゲート１０が転倒したとき下になる部分である。
【００２８】
つっかえ棒２１は、左右同一の形状、構造からなり、棒体２２の両端にリング状部材２３、２４が取付けられており、一端のリング状部材２３は、連結ピン２５を介してゲート１０の前側側面１７に回動自在に連結されている。一方、他端のリング状部材２４は、用水路１００の側壁上面１０５に設けられた円弧状の凹部９０に入り込んでいる。円弧状の凹部９０は深さが浅く、リング状部材２４よりも少し大きい径の円弧形状であるため、リング状部材２４は、凹部９０内で回動自在であり、凹部９０から抜け出ることも容易である。
【００２９】
つっかえ棒２１は、傾斜した状態でゲート１０を支持している。図３（Ａ）に示すように、通常時、つっかえ棒２１は、ゲート１０と回動自在に連結するリング状部材２３に対し、凹部９０に入り込んでいるリング状部材２４が下流側に位置している。つっかえ棒２１が傾斜しているためリング状部材２４は、凹部９０から下流側方向には外れ易いが、その逆方向には外れにくい。つまりつっかえ棒２１は、連結ピン２５を中心に反時計回りには回動し易いがその逆方向には回動しにくくなっており、洪水時に衝突板５１が水の勢いで押されると、リング状部材２４が凹部９０から比較的簡単に外れ、連結ピン２５を中心に反時計回りに回動し、支持するゲート１０を転倒させることができる。
【００３０】
ゲート１０を支持するときのつっかえ棒２１の角度は、次のように考えることができる。つっかえ棒２１は、ゲート１０の重量を受けるので、つっかえ棒２１を鉛直に配置した場合、ゲート１０の重量が重いと、洪水時に衝突板５１が水に押されても、リング状部材２４が凹部９０から外れない可能性がある。一方、傾斜をきつくすると、洪水時に衝突板５１が水に押されると、リング状部材２４は凹部９０から簡単に外れるが、僅かな振動でも外れる恐れがある。このことを考慮し、ゲート１０の重量、凹部９０の大きさを勘案し、傾斜角度を決めればよい。よって、つっかえ棒２１にかかるゲート１０の重量が小さい場合は、つっかえ棒２１を鉛直に配置してもよい。またつっかえ棒２１がゲート１０を安定的に支持できるのであれば、凹部９０を必ずしも設ける必要はない。この点は、後述の凹部９１も同様である。
【００３１】
つっかえ棒３１も左右同一の形状、構造からなり、棒体３２の両端にリング状部材３３、３４が取付けられており、一端のリング状部材３３は、連結ピン３５を介してゲート１０の後側側面１８に回動自在に連結されている。一方、他端のリング状部材３４は、用水路１００の側壁上面１０５に設けられた円弧状の凹部９１に入り込んでいる。円弧状の凹部９１は深さが浅く、リング状部材３４よりも少し大きい径の円弧形状であるため、リング状部材３４は、凹部９１内で回動自在であり、凹部９１から抜け出ることも容易である。
【００３２】
つっかえ棒３１は、図３（Ａ）に示すようにまっすぐに立った状態でゲート１０を支持している。つっかえ棒３１は、つっかえ棒２１と異なり、衝突板５１が掛け渡されておらず、つっかえ棒２１のリング状部材２４が凹部９０から外れるとゲート１０は、自然と前側を下にして転倒するので、つっかえ棒３１をつっかえ棒２１のように傾斜させた状態とする必要はない。
【００３３】
連結棒４１は、つっかえ棒２１、３１と同様に用水路１００の上方にゲート１０を支持すると共に、ゲート１０が逃げないように用水路１００につなぎ止めておく役割も有する。連結棒４１は、つっかえ棒２１、３１と同様に左右同一の形状、構造からなり、棒体４２の両端にリング状部材４３、４４が取付けられている。一端のリング状部材４３は、連結ピン４５を介してゲート１０の側面中央部１２に回動自在に連結されている。一方、他端のリング状部材４４は、スクリーン１２０の支持棒１２２に回動自在に連結されている。これによりゲート１０は、支持棒１２２を中心に連結棒４１を半径として、連結棒４１と一体的に時計回り、反時計回りに回動することができる。
【００３４】
本実施形態では、取水口１０１にスクリーン１２０が設置され、さらに支持棒１２２が、用水路１００を跨ぐように両側壁上面１０５に取付けられているので、この支持棒１２２に連結棒４１のリング状部材４４を挿入しているが、リング状部材４４の取付け要領はこれに限定されるものではない。連結棒４１は、ゲート１０を用水路１００に対して回動自在につなぎ止めておくことができればよく、リング状部材４４を、連結ピンを介して用水路１００の側壁上端部に回動自在に固定してもよい。
【００３５】
ゲート１０の移動可能な範囲は、連結棒４１の長さ及びその取付け位置により決まる。このため連結棒４１の長さ及びリング状部材４３、４４の固定位置は、ゲート１０が転倒したとき、取水口１０１に設置されたスクリーン１２０を覆い、取水口１０１を塞ぐように決める必要がある。
【００３６】
衝突板５１は、増水時に水流を受け下流側に押されることで、つっかえ棒２１の下端を凹部９０から外し、つっかえ棒２１を転倒させるために設置される部材であり、左右一対のつっかえ棒２１の棒体２２の下方部に、左右のつっかえ棒２１を架け渡すように取付けられている。本実施形態において、衝突板５１は金網である。衝突板５１は、増水時に水流を受けたとき、連結するつっかえ棒２１の下端を凹部９０から外し、つっかえ棒２１を転倒させる機能を有すればよいことから、金網に代え、板を使用することも考えられる。しかし、板の場合、網と異なり力を受ける面積が広いため、強風により下流側に押されることもある。目開きの極端に小さい網も同様の懸念がある。一方で、目開きの極端に大きい網の場合、水流を受けても抵抗が少なく下流側に押されないこともあるので、これらを考慮し、強風により下流側に押されることなく、増水時に水流を受け確実に下流側に押される目の大きさの網が好ましい。また金網に代え、板に複数のスリットを設け、網と同様の作用効果を持たせてもよい。
【００３７】
衝突板５１の大きさも、水流を受ける面積に直結するため、幅（高さ）を極端に狭くすべきではない。幅を大きくすると水流を受ける面積が広がり、水流を受けたとき下流側に押され易くなるが、極端に広くしても不経済であり、さらに強風により下流側に押されることもあるので、不必要に広くすべきではない。
【００３８】
水路土砂流入防止装置１の動作について説明する。
水路土砂流入防止装置１は、用水路１００の取水口１０１に設置され、ゲート１０は、通常、図３（Ａ）に示すように、つっかえ棒２１、３１及び連結棒４１により用水路１００の上方に水平に持ち上げられている。用水路１００の通常水位は、用水路１００の上端１０６以下であるので、洪水時など用水路１００の上端１０６を超えるような水位とならない限り、ゲート１０は用水路１００の上方に保持されたままである。
【００３９】
洪水が発生し、用水路１００の上端１０６を超えるような水が押し寄せると、衝突板５１は、水により下流側に押される。これにより衝突板５１と連結するつっかえ棒２１の下端が用水路の側壁上面１０５から外れ、つっかえ棒２１、３１及び連結棒４１により用水路１００の上方に支持されていたゲート１０は、前側が下がる。つっかえ棒２１、３１は用水路の側壁上面１０５と連結されておらず、ゲート１０は、連結棒４１を介して用水路１００と連結されているため、図３（Ｂ）に示すように、前側を下方にした状態でスクリーン１２０上に転倒し、取水口１０１を塞ぐ。このとき衝突板５１は、ゲート１０とスクリーン１２０との間に位置する。このため衝突板５１は、土砂、石などと衝突し破損することはない。
【００４０】
ゲート１０には、水は、通過可能であるが、土砂、石は通過することができない大きさの多数の貫通孔１１が設けられているため、取水口１０１を塞いた状態で、用水路１００内への土砂、石、流木等の流入を阻止しつつ、下流側への送水を継続することができる。ゲート１０は、連結棒４１を介して用水路１００と連結されているためスクリーン１２０上に転倒した後も、水に押し流されることなくそのままの状態を維持することができる。
【００４１】
冬期など、洪水、増水の心配がないときには、図３（Ｃ）に示すように、ゲート１０を用水路１００の取水口１０１とは反対側の用水路１００の上に倒しておく。用水路１００には用水路を塞ぐ蓋１０４が設置されているので、この蓋１０４の上に伏せた状態としておく。これにより地震などにより、つっかえ棒２１が倒れゲート１０が取水口１０１を塞ぐことを防止することができる。また積雪により、雪の重みで水路土砂流入防止装置１が変形、破損することも防止できる。つっかえ棒２１、３１及び連結棒４１は、ゲート１０と回動自在に連結され、さらに連結棒４１は、スクリーン１２０の支持棒１２２と回動自在に連結するため部品紛失の心配もなく、直ちに、図３（Ｃ）の状態から図３（Ａ）の状態にすることができる。
【００４２】
上記実施形態で示すように本発明に係る水路土砂流入防止装置１は、洪水などで増水したとき、増水した水の勢いを利用して転倒し、土砂、石、流木等の流入を阻止しつつ取水を継続することができるゲート１０で用水路の取水口１０１を塞ぐので、洪水時であっても下流側に継続して送水を行わなければならない用水路に好適に使用することができる。従来の土砂流入防止装置は、取水口１０１をシャッター、扉で完全に塞ぐので、正常水位時に、誤ってシャッター、扉が降りてしまうと、取水が完全に停止される。これに対して本実施形態に示す水路土砂流入防止装置１は、ゲート１０に、水を通過させる貫通孔１１が設けられているので、仮に地震等でゲート１０が転倒し取水口１０１を塞いだとしても取水を継続することができる。
【００４３】
また上記実施形態では、用水路の取水口１０１に塵芥の流入を防止するスクリーン１２０が設けられ、ゲート１０がこのスクリーン１２０を覆う例を示したが、本発明に係る水路土砂流入防止装置は、スクリーン１２０が設けられていない取水口１０１に設置し使用することができることは言うまでもない。スクリーン１２０が設けられていない取水口１０１の場合、転倒したゲート１０を受け止めるストッパーを用水路１００の壁面に設ければ容易に実現することができる。さらにゲート１０の幅を用水路１００の幅よりも広くして、ゲート１０が転倒したとき、用水路１００の前側水路壁をストッパーとしてもよい。
【００４４】
また本発明に係る水路土砂流入防止装置は、要旨を変更しない範囲で変形して使用することができる。ゲート１０は、転倒した後も、連結棒４１を介して用水路１００に固定され、さらにスクリーン１２０がストッパーとして機能するため基本的に移動することはない。しかし水流が激しく、ゲート１０が持ち上げられる恐れがあるときは、図４に示すような係止具を設ければよい。この係止具６０は、ゲート１０の先端部に取付けられたＬ型の係止体６１と用水路１００の底部壁の前面に取付けられたＬ型の係止体６２からなり、ゲート１０をスクリーン１２０に沿って持ち上げようとすると、２つの係止体６１、６２が引っ掛かり、ゲート１０が持ち上げられることを阻止する。ゲート１０を反時計回りに回動させると、２つの係止体６１、６２の引っ掛かりを解除することができるので、人の手により再度、ゲートを図３（Ａ）の状態にすることもできる。
【００４５】
上記実施形態では、ゲート１０に貫通孔１１が設けられた例を示したが、貫通孔１１に代え、図５に示すようにゲート７０に横スリットを設けてもよい。ゲート１０に横スリットを設ける方法には、種々の方法があるが、例えば棒７１を間隔をあけて横に並べることで実現できる。このようなゲート７０を取水口１０１に取付けられたスクリーン１２０上に被せると、スクリーン１２０のスクリーンバー１２１とゲート７０の棒７１が重なることで、開口部が格子状となる。スクリーン１２０のスクリーンバー１２１の間隔が狭く、石、流木など、比較的大きな塵芥を対象とする場合などに好適に使用することができる。このようなゲート７０は、製作が容易であると共に、ゲート７０の清掃が容易となる。ここでは棒７１の間隔は、上方ほど広くなっている。
【００４６】
また上記実施形態では、ゲート１０が、つっかえ棒２１、３１及び連結棒４１で用水路１００の上方に支持されていたが、つっかえ棒２１と連結棒４１とで、ゲート１０を用水路１００の上方に安定的に支持できる場合は、つっかえ棒３１を省略してもよい。例えば、連結棒４１の一端をゲート１０の後方側面１８に連結するような場合には、つっかえ棒３１を省略することができる。
【符号の説明】
【００４７】
１  水路土砂流入防止装置
１０  ゲート
１１  貫通孔
１２  ゲートの側面中央部
１３  ゲートの中央部
１７  ゲートの前側側面
２１  つっかえ棒
４１  連結棒
５１  衝突板
１００  用水路
１０１  取水口
１０４  蓋
１０５  用水路の側壁上面
１２０  スクリーン
【図１】
2012246610.tif 000003
【図２】
2012246610.tif 000004
【図３】
2012246610.tif 000005
【図４】
2012246610.tif 000006
【図５】
2012246610.tif 000007